(57)【要約】本発明はポータブルパーソナルコンピュータを載せるためのラップトップコンピュータサポートプラットフォームに向けられている。当該サポートプラットフォームは、非剛性のベース構造を備え、当該ベース構造は１又は数個のライザーを有して、これにより当該非剛性のベースとラップトップコンピュータとの間にエアギャップを作っている。当該非剛性のベースとラップトップコンピュータとの間のエアギャップは、遮断媒体として作用し、ラップトップコンピュータの熱冷却効果に寄与している。前記ライザーは粗い織物及び／又は非滑り性の材料を有することができ、これによってさらにラップトップコンピュータの移動を制限している。非剛性のベースはパーソナルコンピュータの下端から下部表面に伝達される断熱材として作用する。さらに、１又は数個の指定された断熱材は、非剛性のベースに接着されることが可能であり、これにより、さらなる快適さと人間工学的操作姿勢並びに断熱性を促進する。【選択図】図２
2012517646.tif 000002
【特許請求の範囲】
【請求項１】
ポータブルパーソナルコンピュータ（３）が上に置かれるラップトップコンピュータサポートプラットフォーム（ＰＦ）であって、該プラットフォームは、ａ）前記コンピュータサポートプラットフォーム（ＰＦ）上に任意で置かれる前記ラップトップコンピュータ（３）に対して向けられる上部表面（２ａ）を有するサポートプラットフォームベース（２）と、ｂ）前記プラットフォームベースの前記上部表面（２ａ）から突出し、前記コンピュータサポートプラットフォーム（ＰＦ）上に置かれる前記ラップトップコンピュータと接触する１又はそれより多いラップトップサポート部材（１）を備え、これにより、前記サポートプラットフォームの前記上部表面と前記ラップトップコンピュータとの間の空気の断熱ポケット（８）を生成し、前記プラットフォームはさらに、ｃ）前記１又はそれより多い突出するラップトップサポート部材の下の少なくとも１のサポートプラットフォームベース部材（６）を備え、少なくとも１のベース部材は、前記突出するラップトップサポート部材（１）よりも小さい剛性の柔軟な材料でできていることを特徴とする、ラップトップコンピュータサポートプラットフォーム（ＰＦ）。
【請求項２】
前記１又はそれより多いラップトップサポート部材（１）は、少なくとも１のベース部材（６）に固定されることを特徴とする、請求項１記載のラップトップサポートプラットフォーム。
【請求項３】
前記少なくとも１のベース部材（６）は、断熱特性を有することを特徴とする、請求項１又は請求項２記載のラップトップコンピュータサポートプラットフォーム。
【請求項４】
前記１又はそれより多いラップトップサポート部材（１）は、非すべり性の特性を有することを特徴とする、請求項１乃至請求項３いずれか記載のラップトップコンピュータサポートプラットフォーム。
【請求項５】
前記１又はそれより多いラップトップサポート部材（１）は、少なくとも１のベース部材（６）における穴（９）で固定されることを特徴とする、請求項２又は請求項４記載のラップトップサポートプラットフォーム。
【請求項６】
各ラップトップサポート部材（１）は、少なくとも１のベース部材（６）における穴（９）で固定される少なくとも１の雄部分（Ｉａ）に提供されることを特徴とする、請求項５記載のラップトップコンピュータサポートプラットフォーム。
【請求項７】
前記ラップトップサポート部材は、前記ベース部材の側に提供される締め付け部材により、前記ベース部材（６）に固定され、前記ベース部剤の側は、前記支持部材の位置するベース部材の側とは反対であり、前記ラップトップサポート部材及び前記締め付け部材は、前記穴を介して、互いに接続されていることを特徴とする、請求項５記載のラップトップコンピュータサポートプラットフォーム。
【請求項８】
前記少なくとも１のラップトップサポートベース部材（６）は、ケース（４）に収容され、前記ベース部材（６）は、前記ケースにおける単一の上部ベース部材であり、前記上部表面（２ａ）の伸長にほぼ対応する、前記上部表面（２ａ）に平行な平面における伸長を有することを特徴とする、請求項７記載のラップトップコンピュータサポートプラットフォーム。
【請求項９】
前記ケースは、また、柔軟性を有するラップトップサポートベース部材（６）の下方のクッション（５）を包含し、該クッションは、柔軟な又は粒状の材料（５ａ）で充填されることを特徴とする、請求項８記載のラップトップコンピュータサポートプラットフォーム。
【請求項１０】
前記柔軟性を有するラップトップサポートベース部材（６）は、発泡ゴムの特徴と対応する、柔軟性及び準剛性の観点における特徴を有する発泡体、ゴム又は他のポリマー材料からなることを特徴とする、請求項１乃至請求項９いずれか記載のラップトップコンピュータサポートプラットフォーム。
【請求項１１】
前記ケース（４）は、前記布地材料でできていて、前記ベース部材（６）における穴（９）と対応する穴に提供されることを特徴とする、請求項１乃至請求項１０いずれかに記載のラップトップコンピュータサポートプラットフォーム。
【請求項１２】
前記１又はそれより多いラップトップサポート部材（１）は、前記上部表面（２ａ）から３ｍｍから３０ｍｍの間、垂直に伸長し、１つの水平方向において、３ｍｍから３００ｍｍの間、水平に伸長し、鉛直方向において３ｍｍから３００ｍｍの間、伸長することを特徴とする、請求項１乃至請求項４いずれか記載のラップトップコンピュータサポートプラットフォーム。
【請求項１３】
前記１又はそれより多いラップトップサポート部材（１）は取り外し可能であることを特徴とする、請求項１乃至請求項４いずれか記載のラップトップサポートプラットフォーム。
【請求項１４】
前記ケース（４）は、物品、すなわちラップトップコンピュータを保管するのに用いられ、前記物品は、前記ケースの内側に保管されることを特徴とする、請求項１乃至請求項１３いずれか記載のラップトップサポートプラットフォーム。
【発明の詳細な説明】
【技術分野】
【０００１】
本発明はポータブルパーソナルコンピュータの分野に関し、さらに詳しくは、当該ポータブルコンピュータによって発生された熱から下部表面を遮断するためにポータブルパーソナルコンピュータに関連して作られた遮断性エアーポケットに関する。ライザー上の非滑り材料／前記ポータブルパーソナルコンピュータをサポートするライザーを用いて、摺動することなく角度が付けられるか、あるいは調節されることを可能にする。また、オペレータを快適かつ人間工学的な作業姿勢にさせるという特徴を付加する。ポータブルプラットフォームをサポートするための断熱材として非剛性ベースを用いることによって、ポータブル性と格納性が促進され、ラップトップコンピュータを操作する人にとってより快適さを作りだす。
【背景技術】
【０００２】
ポータブルパーソナルコンピュータ、ラップトップコンピュータ又はネットブックの急速な増加は、よく知られた事実である。リサーチ会社のｉＳｕｐｐｌｉのリサーチによれば、２００８年の第三四半期において、世界中で販売されたラップトップコンピュータの数は、初めてデスクトップコンソール販売を上回った。
【０００３】
ラップトップコンピュータがますます種々のタスクを実行しているので、より強く、より速い必要があり、そして無線接続カード、ｄｖｄプレイヤー、高度なグラフィックカード及び追加のプロセッサなどのより多くの部品を含む必要がある。これはデスクトップと同じ方法で実行されるが、もっと小さくコンパクトな領域での方法である。このプロセスは大量の熱を発生する。典型的なラップトップコンピュータに推奨される作用温度の生成は通常３５〜４０℃であり、４０〜５０℃においてハードディスク破壊の可能性が倍になる（ｈｔｔｐ:／／ｅｒｇｏ．ｈｕｍａｎ．ｃｏｒｎｅｌｌ．ｅｄｕ／ｈｏｔｌａｐｔｏｐｓ．ｈｔｍｌ）。ラップトップが人の膝、枕、または固体表面上に直接置かれたとき、通気の有効性は減少する。デスクトップとの主な差異は、発生した熱を減じるためのヒートシンクとして、大きい冷却ファンのための充分な室、開放空間、または他の冷却装置がないことである。これは、ラップトップの構造が、発生した熱の大部分を下方の媒体と接触するコンピュータの下側を介して伝達するという事実に結び付く。ラップトップのユーザには、外部電源のない如何なる場所でもタスクを実行し得る長い電池寿命の大きい要求がある。この要求は、より効率的な方法でのパーソナルラップトップコンピュータを冷却するための電池のエネルギーの使用と矛盾する。発生した熱は表面すなわち、机、テーブル又は家具を損傷し得るものであり、使用中の人に肉体的危害や被害を引き起こし、あるいはラップトップコンピュータを損傷する。
【０００４】
ラップトップは、デスクトップコンピュータによって実行され得るすべてのタスクをバーチャルに実行するために旅行したり、通勤したりする、移動可能な人によって頻繁に使用される。それゆえ、待ち時間や移動時間は、空港、電車およびバスの駅などの待ち合いエリアでの輸送中、または飛行機、列車、バスによる旅行中およびホテル滞在中は生産的である。ラップトップは、また会議、プロジェクト、講義を行う利益を与え、ニュースを追跡して、オフィス外のほとんどの任意の場所で業務を行う利益を与える。移動中のラップトップコンピュータを使用する際の非常に重要な要因は、バーチャルな任意の都市部でＷｉ−Ｆｉ、Ｗｉｍａｘ、ＧＳＭなどの高速無線接続を用いる可能性が拡大することである。これは、人がコンピュータと接続できるようにし、インターネット又は遠隔ホストからデータを受信／送信できるようにする。これは、パーソナルラップトップの使用を、ローカルネットワークとのケーブル接続を伴う従来のデスクトップコンピュータと同じように効率的にする。
【０００５】
他の要因は、個人の家庭でのパーソナルラップトップの増大した使用である。家族のメンバーは、いまや多くのタスク、インターネットバンキング、ショッピング、辞書及び事典サービス、フォトビデオ編集、ゲーム、テレビ観賞、宿題及びさまざまな形態のネットコミュニティーインタラクションを実行している。これらのタスクは、家族メンバー間で、しばしば同時に実行され得る。したがって、家庭内で２以上のコンピュータのニーズがある。事務所及び家庭でのラップトップの使用は、デスクトップコンピュータ毎に少なくとも１又は数個のサポート家具ユニットを必要とする大きく、嵩張るデスクトップモデルの代替を提案する。家庭でラップトップを使用することは、空間を残すだけでなく、家庭で移動し得る機会を与え、それによって家庭での異なる場所で種々のタスクを実行することを可能にし、好ましい場所でラップトップコンピュータを使用する利点を有することを可能にする。休暇中、家庭内、業務中、旅行中のラップトップに係るニーズが、日常生活で絶対に必要なものにし、それにより有効な方法又は娯楽的方法で日常の作業を毎日実行している。全ての消費者の間での移動性は重要な要因であるので、需要は、より軽量で、より小さいポータブルのパーソナルコンピュータである。要求される移動性が高くなると、より小さく軽量であることが要求される。また、ラップトップの使用の頻度と持続性が増すと、快適で人間工学的な姿勢でラップトップを操作する要求が生まれる。
【０００６】
消費者の移動性が、家庭や事務所を離れることを含む場合、より軽量又は容量の小さいものがもたらされることを好む。家庭では、小さい製品で、収納が容易なものに対する需要がある。
【０００７】
それゆえ、ラップトップコンピュータの使用増加の一つの主要な理由は、ラップトップコンピュータが移動可能であり、異なる場所又は家庭／事務所の外で使用可能であるという事実である。ラップトップコンピュータは旅行前、旅行中及び旅行後に使用することができ、あらゆる旅行には追加の重量或いは大きいことは歓迎されない。
【０００８】
加えて、固定された人間工学的に制御されたワークステーションと比べて、異なる環境及び場所でのパーソナルラップトップコンピュータの使用の移動性は、移動可能な操作ステーションの人間工学的サポートに対する需要を生成する。移動中のパーソナルコンピュータの使用に係る一つの問題は、水平でない表面上、例えば人の膝上に置かれたとき、ラップトップコンピュータが滑りやすいことである。ラップトップコンピュータの滑り止めゴムパッドが、異なる人の膝など柔軟な表面と適合する正しい位置に置かれるとは限らない。よって、ラップトップコンピュータの代わりに身体を調節する必要性が、結果として、人間工学的ではない位置で自分自身の位置決めをさせ得る。人間工学的でない位置を繰り返し、或いは長期間使用することは、物理的な障害や害を引き起こし得る。パーソナルコンピュータが膝から滑り落ち、損傷をうける危険性もある。
【０００９】
非剛性のプラットフォームは、人の膝などの均一でない表面に適応し得る。加えて、人の身体、好ましくは膝への適合は、良好な快適さと、よりよい人間工学的な操作位置を作る。
【００１０】
上述の観点から、種々の解決及び方法が上記課題を解決するために試みられている。一つの例は、ライン  デザイン  インク製のｉｌａｐで、熱放散ができ、人間工学的に設計された多目的のラップトップスタンドである。柔軟なパッド付のライザーを有する曲げられた陽極酸化処理がなされたアルミニウムベースを特徴としている。しかし、このｉｌａｐは、ポータブル性に欠けている。なぜなら、ｉｌａｐは大きく、そして重いからであり、これは旅行中に考慮すべき二つの重要な要因である。また、ラップトップコンピュータの種々のサイズに適合不可である。ウォードへの米国特許第７，２７５，７２４号明細書はラップトップコンピュータサポートプラットフォームを開示し、当該ラップトップコンピュータサポートプラットフォームは合成の多層組立体を含み、当該多層組立体は断熱材とライザーを備え、それによって空気を循環せしめている。しかし、デバイスは、撓まず、曲げられない、剛性のプラットフォームゆえに収納、快適さ、およびポータブル性に対する適合性が良くない。剛性でないので、その上に載る、例えば人の膝の上に載る表面に対して適応せず、対応する形状にならない。そのうえさらに、重く、大きいので、曲げることができず、三つの重要な特徴が、アイテムを移動するか、又は収納する際に望まれる。加えて、Ｌｉｍ  ｅｔ  ａｌへの米国特許第７，１６１，７９９号明細書は、チェッカーボード構造の剛性を有するプラットフォームボードを備えたラップトップコンピュータ用断熱ボードを開示し、当該チェッカーボード構造の剛性を有するプラットフォームボードはライザーを備え、それによって冷却効果を生成している。剛性のボード構造故に、曲げることができず、折り畳むこともできず、むしろ厚い。これは、収納や移動の際に不利である。そのうえさらに、下面に対応する形状にはならない。人の膝に置かれたとき、硬いエッジから不快感が起こり得るので、これは重要な要因であり、限られたスペース、例えば飛行機、バス  列車、又は狭い椅子のシートに置かれるとき許される異なる身体構造やスペースには適合しない。
【００１１】
「Ｌａｐ  Ｔｒａｙ」（ｗｗｗ．ｂｏｓｉｇｎ．ｓｅ）と呼ばれ、スウェーデン  ストックホルムのボサインアクチエボラグによって市場に出されている他の製品は、柔軟な適応枕とベルクロとを接続した剛性のトレイを備え、安定と作業位置の断熱の生成を目的としている。しかしながら、この製品は大きく、重たいという、収納と移動のための二つの重要な不利な点がある。
【発明の概要】
【発明が解決しようとする課題】
【００１２】
それゆえ、軽量で、小さい容積で、ポータブルであり、柔軟な収納可能性を提供する非剛性のパーソナルコンピュータプラットフォームに対する需要と供給は高い。そのうえさらに、パーソナルラップトップコンピュータの底から熱を放散することに加えて、種々の環境で、人間工学的で、快適な操作位置を提供しなければならない。
【００１３】
上述した局面において、本発明は軽量で非剛性のラップトップコンピュータサポートプラットフォームに向けられている。断熱材は、非剛性プラットフォームからなり、冷却効果は非滑り性のライザー／エアーを当該ラップトップと当該非剛性プラットフォームとの間を循環せしめることによって熱冷却効果を生成するライザーを加えることによって提供される。該断熱材は、その表面から離間したポータブルパーソナルコンピュータからの熱を伝達する。ラップトップコンピュータは当該表面上に置かれる。ライザーの数は１又は複数であり得、若しくは除去し得る。非剛性のサポートプラットフォームは、種々の収納の状況においてプラットフォームを柔軟にする。すなわち、曲げられ、巻き上げられ、折り畳まれ、それ故、多様な形状及び寸法に変換される。これは、家庭、事務所、旅行や運送中の収納のために多数のオプションを可能にする。
【００１４】
上述した多数の収納機能に加えて、本発明は、移動中にコンピュータを操作する間に利点を提供する。非剛性のプラットフォーム有することは、地面、ソファー、ベッド、椅子、ベンチに座る、又は異なる輸送設備で移動するなどといった、さまざまな姿勢でコンピュータを操作するための快適さを促進する。非剛性ラップトップコンピュータサポートプラットフォームは形成可能であり、任意のサポート表面や身体部分に適応することができる。
【００１５】
ポータブル性を促進するために、プラットフォームサポートは最も好ましい形態において、極めて軽量であり、薄い。すなわち重さ約４０ｇｗで、厚さはたった４ｍｍである。そのうえさらに、この発明においてサポートされたプラットフォームは非剛性であり、プラットフォームを柔軟にしている。この要因は、サポートされたプラットフォームを現存の多くのコンピュータ収納ケースや旅行バッゲージに適合することを可能にしている。さらに移動性を改善するために、非剛性材料の上に非滑り性ライザーを一体化することができる。当該非剛性材料は、ラップトップコンピュータ収納ケースや他の旅行用具を含み得る。そのうえ、家庭内や事務所で使用される場合、非剛性のプラットフォームのこの発明は、多くの場所で非常に容易に収納できるか、あるいは非剛性の家具や織物、ニット織物又はフェルトファブリックなどの装飾的な材料に一体化又は取付けられたとき、インテリアデザインの一部として作用する。これは、美麗な外観を促進し、周りのインテリアの一部として調和することができる。そのうえさらに、軽量でスリムな容量が流通するうえで費用効果を出している。
【００１６】
代替的に、非すべり性のライザーは、好ましくはケースの形状で、織布、ニットの布、又はフェルトファブリックの非剛性材料に取り付けられる。ライザーは、ケースの外側に取り付けられ、ラップトップが置かれるプラットフォームとして、ケースを用いる可能性がある。コンピュータ使用中における、より高い快適性及びコンピュータの下側部分からヒトの膝へと移る熱の影響を最小化するために、ケースは、柔軟軽量、形成可能及び遮断される（isolating)材料で満たされている。そのような遮断する材料は、発泡体、羽毛、伸長可能なポリマー材料または伝熱を阻害し、成形性を加える他の適切な材料である。非剛性のコンピュータのプラットフォームが置かれるヒトの体又は表面に成形及び適応されることで、プラットフォームは、異なる姿勢でラップトップコンピュータを操作する間に移動又はスライドすることが妨げられる。さらに、ヒトの体に対する成形性及び適用により、操作者はポータブルパーソナルコンピュータを、多数の角度及び姿勢にさせることを含むラップトッププラットフォームを調整することが可能である。これにより、快適且つ人間工学的な方法で、ラップトップコンピュータを操作する可能性が向上する。
【００１７】
もう１つ別の特徴は、本発明によりラップトップのユーザは、フットパッドの配置を、ライザー／非剛性のサポートプラットフォーム上のライザーと交差させる必要がない。ライザーが非すべり性材料であるため、ライザーは、ラップトップコンピュータが滑るのを防ぐ。したがって、本発明は、ポータブルコンピュータの任意のサイズで使用することができる。さらに、プラットフォームは非剛性であり、これにより、本発明は、非常に低い高さ（elevation)のライザーを提供することが可能であり、該高さは、コンピュータのフットパッドよりもさらに低い。フットパッドがライザーよりも高い高さである場合、フットパッドは、非剛性のプラットフォームへと落ち窪む。これが、いくつかの冷却効果が減少されるケースの場合、コンピュータのすべりを妨げることが維持される。しかしながら、ほとんどの場合、ライザーはポータブルコンピュータのフットパッドよりも高い高さであり、このため、熱冷却効果を保持する。
【００１８】
本発明の前述された利点及び他の利点および特徴は、さらに詳細に記述され、以下の図面、詳細な説明及び添付の特許請求の範囲の説明において、容易に明白になる。
【図面の簡単な説明】
【００１９】
【図１】図１は、６のサポート部材を有する、本発明の実施形態の立面斜視図である。
【図２】図２は、サポート部材上に置かれたコンピュータを有する本発明の実施形態の水平図である。
【図３】図３は、サポート部材上に置かれたコンピュータを有する本発明の実施形態での、水平断面図である。
【発明を実施するための形態】
【００２０】
本発明のラップトップコンピュータプラットフォームＰＦの熱減少及び安定に係る実施形態は、図１、図２及び図３に示され、該図は、非剛性サポートプラットフォームベース（２）を開示し、該ベースは、以下で「ライザー」（１）という１又はいくつかのサポート部材を有し、その上に配され、以下「ラップトップ」（３）と述べるポータブルパーソナルラップトップコンピュータの安定した土台を形成する。プラットフォームベース（２）からラップトップ（３）を離間させることで、冷却空気層（８）が生成される。ラップトップ（３）の温度は、空気（８）の断熱ポケットにおける対流を可能にすることにより下げられる。プラットフォームベース（２）の温度は、ラップトップ（３）に接するプラットフォームの領域を少なくすることにより、下げられ、これにより、ラップトップ（３）とプラットフォームベース（２）との間の伝導熱を減少させる。下方に配されたラップトップ（３）から操作者の膝までのプラットフォームベース（２）を介した伝導熱は、従って、比例した程度にまで減少されている。プラットフォームベース（２）の材料は断熱特性を有する、又は有さない。プラットフォームベース（２）の材料の断熱特性を有する実施形態は、温かいラップトップ（３）から操作者の膝へと伝えられる熱をさらに減少する。プラットフォームベース（２）の断熱能力はベースの厚さに比例する。プラットフォームベース（２）は、織布、ポリマーおよびポリマー発泡体といった柔軟な材料でできている薄い固体層からなる。
【００２１】
プラットフォームベース（２）は、また異なる特性を有する複数の層から成る。図３に示される好適な実施形態において、該実施形態は、薄い柔軟な材料、つまり布地でできたケース（４）、すなわちポリマー発泡体及び柔軟な又は粒子状の充填物（５ａ）を備えるクッション（５）でできたより厚い準柔軟材料（６）を備えるプラットフォームベース（２）を備える。図３に示される好適な実施形態において、ライザー（１）は、プラットフォームベース（６）における穴（９）を介して、プラットフォームベース（６）に取り付けられ、ケースの洗浄が可能なように取り外し可能である。
【００２２】
ラップトップ（３）の重量と操作者の膝の下方との間で圧力が加えられる際に、プラットフォーム部材（６）とライザー（１）の組み合わされたセットは、ラップトップ（３）の平坦な表面に対して適用される。図３におけるケース（４）の上部層は、結果として、プラットフォーム部材（６）とライザー（１）により平坦にされ、折畳まれることを防ぐことにより、空気の熱低減ポケット（８）の大きさを減少させる。
【００２３】
１つの実施形態において、サポートプラットフォームベース（２）は、ベース部材（６）及び１又はいくつかのライザー（１）のみから成る。
【００２４】
もうひとつ別の実施形態において、ラップトップサポートプラットフォームＰＦは、ラップトップコンピュータケース及び／又はコンピュータバッグとしても機能するサポートベース（２）を有する。
【００２５】
ラップトップサポートプラットフォームＰＦのもうひとつ別の実施形態において、サポートベース（２）は、布、例えばコートの形態であり、この場合、ラップ上の部分は、１又はいくつかのサポート部材を有し、熱低減及びコンピュータサポートの安定を提供する。
【図１】
2012517646.tif 000003
【図２】
2012517646.tif 000004
【図３】
2012517646.tif 000005
【国際調査報告】
2012517646.tif 000006
2012517646.tif 000007
2012517646.tif 000008
2012517646.tif 000009